(57)【要約】【課題】室外熱交換器から排出される空気を清浄化し、ひいては、大気の清浄化を図る空気調和装置の室外ユニットを提供すること。【解決手段】圧縮機１１、室外熱交換器１４及び送風ファン１６を備える空気調和装置の室外ユニット１において、水を電気分解して電解水を生成する電解水生成ユニット１７と、この電解水を送風ファン１６の運転中に室外熱交換器１４のフィン１４Ａに供給する電解水供給ユニット１８とを備える。【選択図】図２
2008232552.tif 000002
【特許請求の範囲】
【請求項１】
圧縮機、室外熱交換器及び送風ファンを備える空気調和装置の室外ユニットにおいて、
水を電気分解して電解水を生成する電解水生成手段と、この電解水を前記送風ファンの運転中に前記室外熱交換器のフィンに供給する電解水供給手段とを備えることを特徴とする空気調和装置の室外ユニット。
【請求項２】
前記電解水供給手段は、前記室外熱交換器のフィンに前記電解水を分散して供給することを特徴とする請求項１に記載の空気調和装置の室外ユニット。
【請求項３】
前記電解水供給手段は、前記電解水が浸潤し、前記室外熱交換器のフィンに当接して当該フィンに前記電解水を供給する浸潤部材と、この浸潤部材を前記フィンの延出方向に沿って移動させる移動機構とを備えることを特徴とする請求項１または２に記載の空気調和装置の室外ユニット。
【請求項４】
前記浸潤部材は、前記移動機構の動作に連動して回転するローラであることを特徴とする請求項３に記載の空気調和装置の室外ユニット。
【請求項５】
前記電解水供給手段は、前記室外熱交換器の上部に配置され、前記電解水を貯留可能なトレー部材を備え、このトレー部材には、前記室外熱交換器のフィンに前記電解水を滴下するための開口が当該フィンのピッチに合わせて形成されていることを特徴とする請求項１または２に記載の空気調和装置の室外ユニット。
【発明の詳細な説明】
【技術分野】
【０００１】
本発明は、圧縮機、室外熱交換器及び送風ファンを備える空気調和装置の室外ユニットに関する。
【背景技術】
【０００２】
従来、圧縮機、室外熱交換器及び送風ファンを備える空気調和装置の室外ユニットが知られている。この種の室外ユニットでは、室外熱交換器で空気と冷媒との熱交換を行い、この熱交換した冷媒を室内に供給することにより、当該室内の冷房もしくは暖房を行うため空気を汚染することなない（例えば、特許文献１参照）。
【特許文献１】特開２００１−３０４６２４号公報
【発明の開示】
【発明が解決しようとする課題】
【０００３】
ところで、近年、大気の清浄化が広く要求されているが、この種の室外ユニットでは、従来、空気を清浄化して排出する機能を有するものは提案されていない。
【０００４】
そこで、本発明は、室外熱交換器から排出される空気を清浄化し、ひいては、大気の清浄化を図る空気調和装置の室外ユニットを提供することを目的とする。
【課題を解決するための手段】
【０００５】
上記目的を達成するために、本発明は、圧縮機、室外熱交換器及び送風ファンを備える空気調和装置の室外ユニットにおいて、水を電気分解して電解水を生成する電解水生成手段と、この電解水を前記送風ファンの運転中に前記室外熱交換器のフィンに供給する電解水供給手段とを備えることを特徴とする。
【０００６】
この発明によれば、送風ファンにより吸い込まれた空気が室外熱交換器において電解水中の活性酸素種と接触する。これにより、空気中に浮遊するウィルス等が不活化されるとともに、空気中に浮遊、および／又は、空気に含まれる臭気成分、ＮＯｘ、ＳＯｘ等の大気汚染原因物質が活性酸素種と反応して分解され、或いはイオン化して溶解する。従って、空気の除菌及び脱臭等がなされ、清浄化された空気を室外熱交換器から排出することができ、ひいては、大気の清浄化を図ることができる。
【０００７】
この場合において、前記電解水供給手段は、前記室外熱交換器のフィンに前記電解水を分散して供給する構成としても良い。また、前記電解水供給手段は、前記電解水が浸潤し、前記室外熱交換器のフィンに当接して当該フィンに前記電解水を供給する浸潤部材と、この浸潤部材を前記フィンの延出方向に沿って移動させる移動機構とを備える構成としても良い。さらに、前記浸潤部材は、前記移動機構の動作に連動して回転するローラである構成としても良い。
【０００８】
また、前記電解水供給手段は、前記室外熱交換器の上部に配置され、前記電解水を貯留可能なトレー部材を備え、このトレー部材には、前記室外熱交換器のフィンに前記電解水を滴下するための開口が当該フィンのピッチに合わせて形成されている構成としても良い。
【発明の効果】
【０００９】
本発明によれば、送風ファンにより吸い込まれた空気が室外熱交換器において電解と接触するため、空気中に浮遊するウィルス等が不活化されるとともに、空気に含まれる臭気成分、ＮＯｘ、ＳＯｘ等の大気汚染原因物質が電解水と反応して分解され、或いはイオン化して溶解する。従って、空気の除菌及び脱臭等がなされ、清浄化された空気を室外熱交換器から排出することができ、ひいては、大気の清浄化を図ることができる。
【発明を実施するための最良の形態】
【００１０】
以下、図面を参照して本発明の実施形態について説明する。
図１は、本実施形態の空気調和装置１００の概略構成図である。この空気調和装置１００は、被調和室外に設置される室外ユニット１と、被調和室内に設置される室内ユニット２とを備えたヒートポンプ式空気調和装置である。
【００１１】
室外ユニット１は、図１に示すように、筐体２０内に収容された圧縮機１１を備え、この圧縮機１１には、その吸込側にアキュムレータ１２が接続され、その吐出側には四方弁１３と室外熱交換器１４と電動膨張弁１５とが順に接続されている。また、室外ユニット１には、室外熱交換器１４へ向かって送風する送風ファン１６が配設されている。
さらに、室外ユニット１には、送風ファン１６により筐体２０内に導入される空気を除菌する除菌装置１５０が取り付けられている。この除菌装置１５０は、室外熱交換器１４を通過する空気に活性酸素種を含む電解水を接触させて空気の除菌を行うものであり、所定のイオン種を含む水を電気分解して、活性酸素種を含む電解水を生成する電解水生成ユニット（電解水生成手段）１７と、この電解水を室外熱交換器１４に供給する電解水供給ユニット（電解水供給手段）１８と、これら電解水生成ユニット１７及び電解水供給ユニット１８を制御する制御装置１９とを備える。
また、室内ユニット２は、室内熱交換器７１と、この室内熱交換器７１へ向かって送風する送風ファン７２とを備える。
【００１２】
空気調和装置１００では、四方弁１３を切り換えることにより冷媒の流れを切り換えて冷房運転と暖房運転とを切り換えるよう構成されている。冷房運転時には図中に示す実線矢印の方向に冷媒が流れ、暖房運転時には破線矢印の方向に冷媒が流れる。
すなわち、冷房運転時には、圧縮機１１から吐出された高圧の冷媒がアキュムレータ１２を経て室外熱交換器１４に達し、室外熱交換器１４において凝縮されて電動膨張弁１５に送られる。この高圧の冷媒は電動膨張弁１５を通過して膨張し、室内熱交換器７１において気化された後に圧縮機１１の吸込側に戻る。
一方、暖房運転時には、圧縮機１１から吐出された高圧の冷媒が室外冷媒配管１０を経て室内熱交換器７１に送られ、室内熱交換器７１において凝縮し、電動膨張弁１５に送られる。この冷媒は電動膨張弁１５において膨張して室外熱交換器１４に送られ、室外熱交換器１４で気化して、四方弁１３を介してアキュムレータ１２に送られ、圧縮機１１の吸込側に戻る。
【００１３】
図２は、室外ユニット１の外観斜視図である。
室外ユニット１は、筐体２０内が不図示の仕切板で上下に区分けされている。この筐体２０の下部に形成された機械室２０Ａには、上記圧縮機１１、アキュムレータ１２及び四方弁１３が収容され、筐体２０の上部に形成された熱交換室２０Ｂには、上記室外熱交換器１４、電動膨張弁１５及び送風ファン１６（以上図１参照）が収容されている。
室外熱交換器１４は、平板状に形成された複数のフィン１４Ａと、この複数のフィンを貫通する配管部とを備えるフィンアンドチューブ式の熱交換器であり、図２に示すように、熱交換室２０Ｂの背面２１を形成するように配設されている。また、熱交換室２０Ｂ（筐体２０）の上面２２には開口部２２Ａが形成され、この開口部２２Ａには送風ファン１６が配設されている。また、熱交換室２０Ｂの上面２２には、送風ファン１６を覆うファンガード２３が配設されている。この送風ファン１６を運転すると、筐体２０外部の空気が室外熱交換器１４を通じて熱交換室２０Ｂ内に吸い込まれ、上記開口部２２Ａを通じて外部に排出される。
【００１４】
また、上述したように、室外ユニット１には、水を電気分解して電解水を生成する電解水生成ユニット１７と、この電解水を室外熱交換器１４に供給する電解水供給ユニット１８とが設けられている。電解水生成ユニット１７は、熱交換室２０Ｂの上面２２における背面２１側（すなわち室外熱交換器１４側）の一隅部に配置されている。
電解水生成ユニット１７は、図３に示すように、水が貯留される貯留槽３１を備え、この貯留槽３１は、仕切板３２によって第一貯留部３３と第二貯留部３４とに区分けされている。第一貯留部３３には、外部の給水源に連なる給水管３５が接続され、この給水管３５には、上記制御装置１９の制御の下、この第一貯留部３３に水を供給すべく開閉する開閉弁３６が設けられている。ここで、給水管３５に接続されて、電解水生成ユニット１７に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等のイオン種濃度の希薄な水であってもよい。本実施形態では、これらを総称して水という。
【００１５】
第一貯留部３３には、この第一貯留部３３に貯留された水を電気分解して電解水を生成する電解槽３７が配設されている。この電解槽３７は、後述するように複数の電極を内蔵し、これら電極間に、制御装置１９から供給される電圧を印加することにより、水を電解して電解水を生成する。また、電解槽３７は、この電解槽３７の下面に設けられ、当該電解槽３７に水を取り入れるための入口管３７Ａと、この電解槽３７の側面に設けられ、当該電解槽３７から電解水を排出する出口管３７Ｂとを備える。この出口管３７Ｂは、上記給水管３５と略同じ高さに設けられ、この出口管３７Ｂは、上記仕切板３２を貫通して第二貯留部３４に延在している。
一方、第二貯留部３４の下面には、上記出口管３７Ｂを通じて、この第二貯留部３４に流入した電解水を上記電解水供給ユニット１８に供給するための電解水供給管３８が接続されている。
【００１６】
本構成では、第一貯留部３３は高い気密性を有して形成されている。これによれば、給水管３５を通じて第一貯留部３３内に水が供給されると、この水の増加に伴って第一貯留部３３内の圧力（気圧）Ｐが上昇する。このため、第一貯留部３３と第二貯留部３４との差圧により電解槽３７内の水位が上昇し、この電解槽３７で電解水が生成され、この電解水が出口管３７Ｂを通じて第二貯留部３４に排出される。そして、この第二貯留部３４に排出された電解水は、電解水供給管３８を通じて電解水供給ユニット１８に供給される。
このように、本構成では、第一貯留部３３に貯留された水が所定水位（所定量）を超えて供給されると、この所定水位を超えた分の水が電解槽３７に流入するため、送水ポンプ等を用いることなく簡易な構成で、電解槽３７への流量制御を行うことができる。
また、給水管３５は、第一貯留部３３の上記所定水位よりも上方に設けられており、この第一貯留部３３に貯留された水が当該給水管３５を通じて逆流することがないように構成されている。
【００１７】
電解槽３７には、図４に示すように、一方が正、他方が負となる対の電極４１，４２を備え、これら電極４１，４２間に電圧を印加することにより、電解槽３７に流入した水道水が電気分解されて活性酸素種を含む電解水が生成される。
ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００１８】
電極４１，４２は、例えばベースがチタン（Ｔｉ）で皮膜層がイリジウム（Ｉｒ）、白金（Ｐｔ）から構成された電極板であり、この電極４１，４２に流れる電流値は、制御装置１９によって、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００１９】
詳述すると、上記電極４１，４２により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩化物イオン（Ｃｌ-：水道水に予め添加されているもの）が、
２Ｃｌ-→Ｃｌ2＋２ｅ-
のように反応し、塩素（Ｃｌ2）が発生する。さらにこの塩素は水と反応し、
Ｃｌ2＋Ｈ2Ｏ→ＨＣｌＯ＋ＨＣｌ
次亜塩素酸（ＨＣｌＯ）と塩化水素（ＨＣｌ）が発生する。
【００２０】
アノード電極で発生した次亜塩素酸は広義の活性酸素種に含まれるもので、強力な酸化作用や漂白作用を有する。次亜塩素酸が溶解した水溶液、すなわち電解槽３７により生成される電解水は、ウィルス等の不活化、殺菌、有機化合物の分解等、種々の空気清浄効果を発揮する。
【００２１】
次に、電解水供給ユニット１８について説明する。
電解水供給ユニット１８は、図２に示すように、室外熱交換器１４の吸込側の面に配置され、この室外熱交換器１４のフィン１４Ａに電解水を供給する供給部４５と、この供給部４５を当該フィン１４Ａの延出方向（図中Ｘ方向）である上下方向に沿って移動させる移動機構４６とを備えて構成されている。
【００２２】
供給部４５は、図５に示すように、室外熱交換器１４に対向する面が開放された本体５０と、この本体５０の上部に配置され、上記電解水供給管３８を通じて流入した電解水を受ける受け部５１と、当該本体５０内に収容され、室外熱交換器１４のフィン１４Ａに電解水を塗布するブラシローラ（浸潤部材）５２とを備える。本体５０の上面には、ブラシローラ５２の軸５２Ａの上方に複数の散水孔５０Ａが開口し、この散水孔５０Ａからブラシローラ５２に対して電解水を滴下するようになっている。
【００２３】
ブラシローラ５２は、室外熱交換器１４と略同一の幅を有し、液体の浸透性を有する繊維材料で形成されている。また、ブラシローラ５２は、このブラシローラ５２の軸５２Ａが本体５０の側面部を貫通するとともに、この側面部に回転自在に支持されている。ブラシローラ５２は、フィン１４Ａの延出方向に沿って回転するため、例えば、このフィン１４Ａ、１４Ａ間に埃等が詰まっていた場合であっても、この埃等をブラシローラ５２がかき出すことにより、室外熱交換器１４を清浄な状態に保つことができる。また、ブラシローラ５２の軸５２Ａの一部には、ギア５３が形成されており、このギア５３は中間ギア５４を介して、移動機構４６のフレーム６２（後述する）に形成されたラックギア５５に噛み合っている。このため、移動機構４６を用いて供給部４５を移動させると、この移動に連動してブラシローラ５２が回転し、常時湿潤したブラシローラ５２が室外熱交換器１４のフィン１４Ａに当接することにより、このフィン１４Ａに電解水を塗布することができる。
【００２４】
供給部４５の各部（本体５０、受け部５１及びブラシローラ５２を含む）には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。
また、ブラシローラ５２には親水性処理が施され、電解水に対する親和性が高められており、これによって、ブラシローラ５２の電解水の保水性（湿潤性）が保たれる。さらに、ブラシローラ５２には防かび作用を持つ電解水が滴下されるため、このブラシローラ５２に防かび対策（防かび剤の塗布等）を施さなくても、かびの繁殖等を避けることができる。
【００２５】
移動機構４６は、図２に示すように、室外熱交換器１４の両側部に配置されたフレーム６１、６２を備え、このフレーム６１、６２の対向する面には、供給部４５を上下方向に案内する案内溝６３が形成されている。この案内溝６３には、図６に示すように、本体５０の側面部を貫通して突出したブラシローラ５２の軸５２Ａが嵌っている。この軸５２Ａの両端には、それぞれ軸受部材６４が取り付けられ、この軸受部材６４には、フレーム６１、６２内を上下方向に延びるベルト６５、６６が連結されている。
このベルト６５、６６は、供給部４５を上下方向に移動させるためのものであり、このベルト６５、６６の先端部には不図示のモータが配置されている。このモータを正回転させると、例えば、ベルト６６が繰り出されるとともにベルト６５が巻き取られるため、供給部４５が上方に移動する。一方、モータを逆回転させると、例えば、ベルト６５が繰り出されるとともにベルト６６が巻き取られるため、供給部４５が下方に移動する。このモータは、制御装置１９により、送風ファン１６が動作している最中に動作するように制御されている。
【００２６】
本実施形態では、ブラシローラ５２は、移動機構４６によって室外熱交換器１４の上下方向に移動するため、この室外熱交換器１４の吸込面の略全域に電解水を塗布することができる。さらに、供給部４５の移動に連動してブラシローラ５２が回転し、常時湿潤したブラシローラ５２が室外熱交換器１４のフィン１４Ａに当接することにより、このフィン１４Ａに電解水が塗布される。
これによれば、送風ファン１６により吸い込まれた空気が室外熱交換器１４において電解水中の次亜塩素酸と接触する。これにより、空気中に浮遊するウィルス等が不活化されるとともに、空気に含まれる臭気成分、ＮＯｘ、ＳＯｘ等の大気汚染原因物質が次亜塩素酸と反応して分解され、或いはイオン化して溶解する。従って、空気の除菌及び脱臭等がなされ、清浄化された空気が室外熱交換器１４から排出される。
ここで、次亜塩素酸（活性酸素種）によるウィルス等の不活化の作用機序として、インフルエンザウィルスの例を挙げる。上述した活性酸素種は、インフルエンザの感染に必須とされるインフルエンザウィルスの表面蛋白（スパイク）を破壊、消失（除去）する作用を有する。この表面蛋白が破壊された場合、インフルエンザウィルスと、インフルエンザウィルスが感染するのに必要な受容体（レセプタ）とが結合しなくなり、感染が阻止される。このため、空気中に浮遊するインフルエンザウィルスは、室外熱交換器１４において活性酸素種を含む電解水に接触することにより、いわば感染力を失うこととなり、感染が阻止される。
【００２７】
本実施形態によれば、圧縮機１１、室外熱交換器１４及び送風ファン１６を備える空気調和装置の室外ユニット１において、水を電気分解して電解水を生成する電解水生成ユニット１７と、この電解水を送風ファン１６の運転中に室外熱交換器１４のフィン１４Ａに供給する電解水供給ユニット１８とを備えるため、送風ファン１６により吸い込まれた空気が室外熱交換器１４において電解水中の次亜塩素酸と接触する。これにより、空気中に浮遊するウィルス等が不活化されるとともに、空気中に浮遊、および／又は、空気に含まれる臭気成分、ＮＯｘ、ＳＯｘ等の大気汚染原因物質が次亜塩素酸と反応して分解され、或いはイオン化して溶解する。このため、空気の除菌及び脱臭等がなされ、清浄化された空気を室外熱交換器１４から排出できる。従って、これら電解水生成ユニット１７及び電解水供給ユニット１８を既存の室外ユニットに配設することにより、この室外ユニットの周囲環境、ひいては、大気の清浄化を図ることができる。
【００２８】
また、本実施形態によれば、電解水供給ユニット１８は、室外熱交換器１４のフィン１４Ａに電解水を分散して供給するため、このフィン１４Ａにおいて空気と電解水とを効率良く接触させることができ、空気の清浄化効率の向上を図ることができる。なお、電解水を長時間、室外熱交換器１４に塗布しつづけると、この室外熱交換器１４を構成する銅製の配管部やアルミニウム製のフィン１４Ａが錆びたり、腐食したりすることが考えられる。このため、制御装置１９は、室外ユニット１の累計運転時間毎（例えば、２４時間毎）に電解水生成ユニット１７への通電を所定時間（例えば、３０分）停止して、電解水ではなく、真水に近い水を、室外熱交換器１４に流すようにして、室外熱交換器１４に付着した電解水を洗い流すようにしても良い。
【００２９】
また、本実施形態では、電解水供給ユニット１８は、電解水が浸潤し、室外熱交換器１４のフィン１４Ａに当接して当該フィンに電解水を供給するブラシローラ５２と、このブラシローラ５２をフィン１４Ａの延出方向に沿って移動させる移動機構４６とを備えるため、この移動機構４６によってブラシローラ５２を室外熱交換器１４の上下方向に移動することにより、この室外熱交換器１４の吸込面におけるフィン１４Ａの略全域に簡単に電解水を塗布することができる。従って、このフィン１４Ａにおいて空気と電解水とを効率良く接触させることができ、空気の清浄化効率の向上を図ることができる。
【００３０】
また、本実施形態によれば、ブラシローラ５２は、移動機構４６の動作に連動して回転するため、常時湿潤したブラシローラ５２が室外熱交換器１４のフィン１４Ａに当接することにより、このフィン１４Ａに電解水を塗布することができる。さらに、ブラシローラ５２は、フィン１４Ａの延出方向に沿って回転するため、例えば、このフィン１４Ａ間に埃等が詰まっていた場合であっても、この埃等をブラシローラ５２がかき出すことにより、室外熱交換器１４を清浄な状態に保つことができる。
【００３１】
また、本実施形態によれば、室外熱交換器１４のフィン１４Ａに電解水が供給されるため、この電解水がフィン１４Ａ上で蒸発することにより、室外熱交換器１４を効率良く冷却することができる。従って、例えば、夏期の冷房時における凝縮圧力を低下させることができるため、空気調和装置１００の成績係数ＣＯＰ（Coefficient Of Performance）の向上を図ることができる。
【００３２】
以上、一実施形態に基づいて本発明を説明したが、本発明は、これに限定されるものではない。例えば、図７に示すように、電解水供給手段として室外熱交換器１４の上部に電解水を貯留可能なトレー部材７５を配置する構成としても良い。このトレー部材７５は、図８に示すように、トレー部材７５の底面に電解水を滴下するための開口７６が形成され、この開口７６は、室外熱交換器１４のフィン１４Ａのピッチに合わせて形成されている。すなわち、開口７６はフィン１４Ａの上方に位置するように設けられている。この図８では、説明の便宜上、開口７６及びフィン１４Ａを大きく記載しているが、この開口７６は微小な幅を有するスリッド状に形成されている。
【００３３】
開口７６を通じて滴下される電解水は、この開口に隣接するフィン１４Ａの表面を伝って下方に流れ落ちることにより、このフィン１４Ａの略全域に供給される。従って、送風ファン１６により吸い込まれた空気が室外熱交換器１４において電解水中の次亜塩素酸と接触する。これにより、空気中に浮遊するウィルス等が不活化されるとともに、空気中に浮遊、および／又は、空気に含まれる臭気成分、ＮＯｘ、ＳＯｘ等の大気汚染原因物質が次亜塩素酸と反応して分解され、或いはイオン化して溶解する。従って、空気の除菌及び脱臭等がなされ、清浄化された空気を室外熱交換器１４から排出することができ、ひいては、大気の清浄化を図ることができる。
特に、本構成では、室外熱交換器１４の上部に開口７６を有するトレー部材７５を配置するだけなので、簡単な構成で、大気の清浄化を図ることができる。
【００３４】
また、上記実施形態では、活性酸素種として次亜塩素酸を発生させる構成について説明したが、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００３５】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる所定の濃度に調整し、この濃度の電解水が供給された室外熱交換器１４に空気を通過させることにより、空気中に浮遊する対象ウィルス等を不活化することができる。また、空気中に浮遊する塵埃、空気に含まれる臭気成分、ＮＯｘ、ＳＯｘ等の大気汚染原因物質も、室外熱交換器１４を通過する際に、電解水に溶解したり、電解水中のオゾンまたは過酸化水素と反応したりすることにより、空気中から除去することができる。
【００３６】
また、水道水を電気分解することにより、電極上（カソード）にスケールが堆積した場合、電気伝導性が低下し、継続的な電気分解が困難となる。この場合、電極の極性を反転（電極のプラスとマイナスを切り換える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【図面の簡単な説明】
【００３７】
【図１】本発明の実施形態における空気調和装置の概略構成を示す図である。
【図２】室外ユニットの外観斜視図である。
【図３】電解水生成ユニットの内部構成を示す横断面図である。
【図４】電解槽の構成図である。
【図５】電解水供給ユニットの内部構成を示す縦断面図である。
【図６】移動機構を示す部分断面図である。
【図７】電解水供給ユニットの変形例を有する室外ユニットの外観斜視図である。
【図８】トレー部材の開口とフィンとの位置関係を示す上面図である。
【符号の説明】
【００３８】
１  室外ユニット
２  室内ユニット
１１  圧縮機
１４  室外熱交換器
１４Ａ  フィン
１６  送風ファン
１７  電解水生成ユニット（電解水生成手段）
１８  電解水供給ユニット（電解水供給手段）
１９  制御装置
３１  貯留槽
３３  第一貯留部
３４  第二貯留部
３５  給水管
３７  電解槽
３８  電解水供給管
４１，４２  電極
４５  供給部
４６  移動機構
５２  ブラシローラ（浸潤部材）
７５  トレー部材
７６  開口
１００  空気調和装置
１５０  除菌装置
【図１】
2008232552.tif 000003
【図２】
2008232552.tif 000004
【図３】
2008232552.tif 000005
【図４】
2008232552.tif 000006
【図５】
2008232552.tif 000007
【図６】
2008232552.tif 000008
【図７】
2008232552.tif 000009
【図８】
2008232552.tif 000010